(57)【特許請求の範囲】
【請求項１】
吸着剤を担持する第１及び第２の吸着熱交換器（51,52）が接続されると共に熱媒流体が流通する熱媒回路（50）と、中空の直方体状に形成されて上記第１及び第２の吸着熱交換器（51,52）を収容するケーシング（11）とを備え、
上記第１及び第２の吸着熱交換器（51,52）の一方を冷却して他方を加熱する動作と、一方を加熱して他方を冷却する動作とを交互に行い、上記第１の吸着熱交換器（51）を通過した空気と上記第２の吸着熱交換器（52）を通過した空気の一方を室内へ供給して他方を室外へ排出する調湿装置であって、
上記ケーシング（11）内では、
第１の吸着熱交換器（51）が設置される第１の主空気通路（37）と、第２の吸着熱交換器（52）が設置される第２の主空気通路（38）とが、互いに対向する該ケーシング（11）の前面部（12）及び背面部（13）の長手方向に並んで形成され、
上記第１及び第２の主空気通路（37,38）と上記背面部（13）との間に、第１及び第２の吸込側通路（32,34）が上記背面部（13）の短手方向に並んで形成され、
上記第１及び第２の主空気通路（37,38）と上記前面部（12）との間に、給気ファン（26）が設置される給気側空間（31,36）と排気ファン（25）が設置される排気側空間（33,35）とが形成されており、
上記ケーシング（11）では、上記前面部（12）に直交する一対の側板部（14,15）の一方に上記給気側空間（31,36）に連通する給気口（22）が、その他方に上記排気側空間（33,35）に連通する排気口（21）がそれぞれ形成され、
上記給気ファン（26）は、空気を上記背面部（13）側から吸い込んで上記給気口（22）へ向けて吹き出す姿勢で設置され、上記排気ファン（25）は、空気を上記背面部（13）側から吸い込んで上記排気口（21）へ向けて吹き出す姿勢で設置され、
上記背面部（13）には、第１の吸込側通路（34）に連通する第１の吸込口（24）と、第２の吸込側通路（32）に連通する第２の吸込口（23）とが形成され、
上記ケーシング（11）内では、
上記第１及び第２の主空気通路（37,38）をバイパスして上記第１の吸込側通路（34）から上記給気側空間（31,36）へ空気を流すための第１の副空気通路（81）が、上記給気口（22）が開口する側板部（14）と該側板部（14）に対面して上記第１の主空気通路（37）を区画する第１仕切板（74）との間に形成されると共に、
上記第１及び第２の主空気通路（37,38）をバイパスして上記第２の吸込側通路（32）から上記排気側空間（33,35）へ空気を流すための第２の副空気通路（82）が、上記排気口（21）が開口する側板部（15）と該側板部（15）に対面して上記第２の主空気通路（38）を区画する第２仕切板（75）との間に形成されており、
上記第１の副空気通路（81）の終端は、上記給気側空間（31,36）に対して上記ケーシング（11）の背面部（13）側から接続し、
上記第２の副空気通路（82）の終端は、上記排気側空間（33,35）に対して上記ケーシング（11）の背面部（13）側から接続している
ことを特徴とする調湿装置。
【請求項２】
請求項１において、
上記背面部（13）では、その長手方向の中央寄りに第１及び第２の吸込口（23,24）が形成されている
ことを特徴とする調湿装置。
【発明の詳細な説明】
【技術分野】
【０００１】
本発明は、吸着剤を利用して空気の湿度調節を行う調湿装置に関するものである。
【背景技術】
【０００２】
従来より、吸着剤を利用して空気の湿度調節を行う調湿装置が知られている。特許文献１には、表面に吸着剤が担持された吸着熱交換器を備えた調湿装置が開示されている。
【０００３】
特許文献１に開示された調湿装置には、２つの吸着熱交換器を備えた冷媒回路が設けられている。この冷媒回路は、第１の吸着熱交換器が凝縮器となって第２の吸着熱交換器が蒸発器となる動作と、第２の吸着熱交換器が凝縮器となって第１の吸着熱交換器が蒸発器となる動作とを交互に行う。蒸発器として動作する吸着熱交換器では、吸着剤に空気中の水分が吸着される。凝縮器として動作する吸着熱交換器では、水分が吸着剤から脱離して空気に付与される。
【０００４】
特許文献１に開示された調湿装置は、各吸着熱交換器を通過した空気の一方を室内へ供給して他方を室外へ排出する。例えば、除湿運転中の調湿装置では、第１及び第２の吸着熱交換器のうち蒸発器として動作する方を通過した空気が室内へ供給されて凝縮器として動作する方を通過した空気が室外へ排出されるように、ケーシング内での空気の流通経路が設定される（特許文献１の図５，図６を参照）。
【０００５】
また、特許文献１に開示された調湿装置は、室内の換気を行う。除湿運転中の調湿装置は、取り込んだ室外空気を蒸発器として動作する吸着熱交換器で除湿してから室内へ供給すると同時に、取り込んだ室内空気を凝縮器として動作する吸着熱交換器から脱離した水分と共に室外へ排出する。一方、加湿運転中の調湿装置は、取り込んだ室外空気を凝縮器として動作する吸着熱交換器で加湿してから室内へ供給すると同時に、取り込んだ室内空気を蒸発器として動作する吸着熱交換器で除湿してから室外へ排出する。
【特許文献１】特開２００６−０７８１０８号公報
【発明の開示】
【発明が解決しようとする課題】
【０００６】
上述したように、特許文献１に開示されているような調湿装置では、ケーシング内で２種類の空気（室外空気と室内空気）を互いに混ざり合わないように流す必要があり、更には、これら２種類の空気の流通経路を切り換える必要があるため、ケーシング内における空気の流通経路が複雑化し易い。そして、ケーシング内における空気の流通経路が複雑になると、ケーシング内における空気の流れ方向の変化が急激となり、ケーシング内を空気が通過する際の圧力損失が増大するおそれがある。
【０００７】
本発明は、かかる点に鑑みてなされたものであり、その目的は、ケーシング内において空気の流通経路が切り換わる調湿装置において、ケーシング内を空気が通過する際の圧力損失を低く抑えることにある。
【課題を解決するための手段】
【０００８】
第１の発明は、吸着剤を担持する第１及び第２の吸着熱交換器（51,52）が接続されると共に熱媒流体が流通する熱媒回路（50）と、中空の直方体状に形成されて上記第１及び第２の吸着熱交換器（51,52）を収容するケーシング（11）とを備え、上記第１及び第２の吸着熱交換器（51,52）の一方を冷却して他方を加熱する動作と、一方を加熱して他方を冷却する動作とを交互に行い、上記第１の吸着熱交換器（51）を通過した空気と上記第２の吸着熱交換器（52）を通過した空気の一方を室内へ供給して他方を室外へ排出する調湿装置を対象とする。そして、上記ケーシング（11）内では、第１の吸着熱交換器（51）が設置される第１の主空気通路（37）と、第２の吸着熱交換器（52）が設置される第２の主空気通路（38）とが、互いに対向する該ケーシング（11）の前面部（12）及び背面部（13）の長手方向に並んで形成され、上記第１及び第２の主空気通路（37,38）と上記背面部（13）との間に、第１及び第２の吸込側通路（32,34）が上記背面部（13）の短手方向に並んで形成され、上記第１及び第２の主空気通路（37,38）と上記前面部（12）との間に、給気ファン（26）が設置される給気側空間（31,36）と排気ファン（25）が設置される排気側空間（33,35）とが形成されており、上記ケーシング（11）では、上記前面部（12）に直交する一対の側板部（14,15）の一方に上記給気側空間（31,36）に連通する給気口（22）が、その他方に上記排気側空間（33,35）に連通する排気口（21）がそれぞれ形成され、上記給気ファン（26）は、空気を上記背面部（13）側から吸い込んで上記給気口（22）へ向けて吹き出す姿勢で設置され、上記排気ファン（25）は、空気を上記背面部（13）側から吸い込んで上記排気口（21）へ向けて吹き出す姿勢で設置されており、上記背面部（13）には、第１の吸込側通路（34）に連通する第１の吸込口（24）と、第２の吸込側通路（32）に連通する第２の吸込口（23）とが形成されるものである。
【０００９】
第１の発明では、調湿装置（10）が２つの動作を交互に行う。第１の吸着熱交換器（51）の吸着剤を冷却して第２の吸着熱交換器（52）の吸着剤を加熱する動作中には、第１の吸着熱交換器（51）へ冷却用の熱媒流体が供給され、第２の吸着熱交換器（52）へ加熱用の熱媒流体が供給される。この動作中には、第１の主空気通路（37）を流れる空気が第１の吸着熱交換器（51）を通過する際に除湿され、第２の主空気通路（38）を流れる空気が第２の吸着熱交換器（52）を通過する際に加湿される。また、第２の吸着熱交換器（52）の吸着剤を冷却して第１の吸着熱交換器（51）の吸着剤を加熱する動作中には、第２の吸着熱交換器（52）へ冷却用の熱媒流体が供給され、第１の吸着熱交換器（51）へ加熱用の熱媒流体が供給される。この動作中には、第１の主空気通路（37）を流れる空気が第１の吸着熱交換器（51）を通過する際に加湿され、第２の主空気通路（38）を流れる空気が第２の吸着熱交換器（52）を通過する際に除湿される。
【００１０】
第１の発明の調湿装置（10）では、第１の吸込口（24）を通って第１の吸込側通路（34）へ空気が流入すると同時に、第２の吸込口（23）を通って第２の吸込側通路（32）へ空気が流入する。各吸込側通路（32,34）へ流入した空気は、一方が第１の主空気通路（37）へ流入して第１の吸着熱交換器（51）を通過し、他方が第２の主空気通路（38）へ流入して第２の吸着熱交換器（52）を通過する。各吸着熱交換器（51,52）を通過した空気は、一方が給気側空間（31,36）へ流入し、他方が排気側空間（33,35）へ流入する。給気側空間（31,36）へ流入した空気は、給気ファン（26）に吸い込まれ、給気ファン（26）から給気口（22）へ向けて吹き出される。排気側空間（33,35）へ流入した空気は、排気ファン（25）に吸い込まれ、排気ファン（25）から排気口（21）へ向けて吹き出される。
【００１１】
第１の発明の調湿装置（10）のケーシング（11）の内部空間では、吸込側通路（32,34）と、主空気通路（37,38）と、給気側空間（31,36）及び排気側空間（33,35）とが、ケーシング（11）の背面部（13）から前面部（12）へ向かって順に形成されている。このため、ケーシング（11）の内部空間では、吸込口（23,24）を通って流入した空気が、ケーシング（11）の背面部（13）から前面部（12）へ向かって流れることになる。また、ケーシング（11）内では、２つの主空気通路（37,38）がケーシング（11）の前面部（12）及び背面部（13）の長手方向に並んでいるため、どちらの主空気通路（37,38）を空気が通過する場合においても、ケーシング（11）内における空気の流れ方向は、ケーシング（11）の背面部（13）から前面部（12）へ向かう方向となる。
【００１２】
更に、第１の発明の調湿装置（10）において、給気側空間（31,36）へ背面部（13）側から流入した空気は、背面部（13）側から空気を吸い込む給気ファン（26）に吸い込まれ、側板部（14）に開口する給気口（22）へ向けて吹き出される。また、この調湿装置（10）において、排気側空間（33,35）へ背面部（13）側から流入した空気は、背面部（13）側から空気を吸い込む排気ファン（25）に吸い込まれ、側板部（15）に開口する排気口（21）へ向けて吹き出される。
【００１３】
また、上記第１の発明は、上記の構成に加え、上記ケーシング（11）内では、上記第１及び第２の主空気通路（37,38）をバイパスして上記第１の吸込側通路（34）から上記給気側空間（31,36）へ空気を流すための第１の副空気通路（81）が、上記給気口（22）が開口する側板部（14）と該側板部（14）に対面して上記第１の主空気通路（37）を区画する第１仕切板（74）との間に形成されると共に、上記第１及び第２の主空気通路（37,38）をバイパスして上記第２の吸込側通路（32）から上記排気側空間（33,35）へ空気を流すための第２の副空気通路（82）が、上記排気口（21）が開口する側板部（15）と該側板部（15）に対面して上記第２の主空気通路（38）を区画する第２仕切板（75）との間に形成されるものである。
【００１４】
第１の発明において、第１の副空気通路（81）を流れる空気は、前面部（12）及び背面部（13）に直交する側板部（14）に沿って流れ、背面部（13）側から給気側空間（31,36）へ流入する。このため、第１の副空気通路（81）から給気側空間（31,36）へ流入した空気は、背面部（13）側から空気を吸い込む給気ファン（26）へスムーズに吸い込まれる。また、この発明において、第２の副空気通路（82）を流れる空気は、前面部（12）及び背面部（13）に直交する側板部（15）に沿って流れ、背面部（13）側から排気側空間（33,35）へ流入する。このため、第２の副空気通路（82）から排気側空間（33,35）へ流入した空気は、背面部（13）側から空気を吸い込む排気ファン（25）へスムーズに吸い込まれる。
【００１５】
更に、上記第１の発明は、上記の構成に加え、上記第１の副空気通路（81）の終端は、上記給気側空間（31,36）に対して上記ケーシング（11）の背面部（13）側から接続し、上記第２の副空気通路（82）の終端は、上記排気側空間（33,35）に対して上記ケーシング（11）の背面部（13）側から接続しているものである。
【００１６】
第２の発明は、上記第１の発明において、上記背面部（13）では、その長手方向の中央寄りに第１及び第２の吸込口（23,24）が形成されるものである。
【００１７】
第２の発明では、第１及び第２の吸込口（23,24）が背面部（13）の長手方向の中央付近に配置される。一方、ケーシング（11）内では、２つの主空気通路（37,38）が背面部（13）の長手方向に並んで形成されている。このため、第１の吸込口（24）から第１の主空気通路（37）へ至る空気の流通経路長と、第１の吸込口（24）から第２の主空気通路（38）へ至る空気の流通経路長との差が小さくなる。また、第２の吸込口（23）から第１の主空気通路（37）へ至る空気の流通経路長と、第２の吸込口（23）から第２の主空気通路（38）へ至る空気の流通経路長との差が小さくなる。
【発明の効果】
【００１８】
上述したように、本発明の調湿装置（10）のケーシング（11）内では、どちらの主空気通路（37,38）を空気が通過する場合においても、空気の流れ方向がケーシング（11）の背面部（13）から前面部（12）へ向かう方向となる。また、この調湿装置（10）では、給気ファン（26）の空気の吸い込み方向が、給気側空間（31,36）への空気の流入方向と概ね一致すると共に、排気ファン（25）の空気の吸い込み方向が、排気側空間（33,35）への空気の流入方向と概ね一致している。このため、ケーシング（11）内において吸込口（23,24）から給気ファン（26）や排気ファン（25）へ向かう空気の流れ方向は、概ねケーシング（11）の背面部（13）から前面部（12）へ向かう方向だけとなる。
【００１９】
従って、本発明によれば、調湿装置（10）のケーシング（11）内における空気の流れ方向の変化を削減することにより、空気がケーシング（11）内を通過する際の圧力損失を低減させることができ、その結果、給気ファン（26）や排気ファン（25）の駆動に要するエネルギを削減できる。
【００２０】
また、本発明では、第１の副空気通路（81）から給気側空間（31,36）への空気の流入方向が、給気ファン（26）の空気の吸い込み方向と概ね一致すると共に、第２の副空気通路（82）から排気側空間（33,35）への空気の流入方向が、排気ファン（25）の空気の吸い込み方向と概ね一致している。従って、この発明によれば、主空気通路（37,38）ではなく副空気通路（81,82）を空気が通過する運転状態においても、ケーシング（11）内における空気の流れ方向の変化を低く抑えることができ、空気がケーシング（11）内を通過する際の圧力損失を低減させることができる。
【００２１】
上記第２の発明では、第１及び第２の吸込口（23,24）が背面部（13）の長手方向の中央付近に配置されているため、第１の吸込口（24）から各主空気通路（37,38）へ至る空気の流通経路長の差が短縮され、第２の吸込口（23）から各主空気通路（37,38）へ至る空気の流通経路長の差が短縮される。従って、この発明によれば、第１及び第２の吸込口（23,24）から各主空気通路（37,38）へ至るまでにおける空気の圧力損失を、出来る限り低く抑えることができる。
【発明を実施するための最良の形態】
【００２２】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２３】
〈調湿装置の全体構成〉
調湿装置（10）について、図１〜図６を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２４】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２５】
ケーシング（11）は、やや扁平で高さが比較的低い直方体状に形成されている。このケーシング（11）は、その左右方向の幅が奥行きよりも幾分長くなっている（図３を参照）。ケーシング（11）では、図１における左手前の側面（即ち、前面）を形成する部分が前面パネル部（12）となり、同図における右奥の側面（即ち、背面）を形成する部分が背面パネル部（13）となっている。また、このケーシング（11）では、同図における右手前の側面を形成する部分が第１側面パネル部（14）となり、同図における左奥の側面を形成する部分が第２側面パネル部（15）となっている。
【００２６】
ケーシング（11）では、前面パネル部（12）と背面パネル部（13）とが互いに対向し、第１側面パネル部（14）と第２側面パネル部（15）とが互いに対向している。第１側面パネル部（14）及び第２側面パネル部（15）は、それぞれが前面パネル部（12）及び背面パネル部（13）の両方と実質的に直交している。このケーシング（11）では、前面パネル部（12）が前面部を構成し、背面パネル部（13）が背面部を構成し、第１側面パネル部（14）及び第２側面パネル部（15）が側板部を構成している。
【００２７】
ケーシング（11）には、外気吸込口（24）と、内気吸込口（23）と、給気口（22）と、排気口（21）とが形成されている。外気吸込口（24）は第１の吸込口を構成し、内気吸込口（23）は第２の吸込口を構成している。
【００２８】
外気吸込口（24）及び内気吸込口（23）は、背面パネル部（13）に開口している（図３，図５を参照）。外気吸込口（24）は、背面パネル部（13）の下側部分に配置されている。また、外気吸込口（24）は、背面パネル部（13）の左右幅方向の中央から第２側面パネル部（15）側へオフセットした位置に設けられている。内気吸込口（23）は、背面パネル部（13）の上側部分に配置されている。また、内気吸込口（23）は、背面パネル部（13）の左右幅方向の中央から第１側面パネル部（14）側へオフセットした位置に設けられている。このように、外気吸込口（24）及び内気吸込口（23）は、背面パネル部（13）の左右幅方向（即ち、長手方向）の中央寄りに設けられている。
【００２９】
給気口（22）は、第１側面パネル部（14）における前面パネル部（12）側の端部付近に配置されている。排気口（21）は、第２側面パネル部（15）における前面パネル部（12）側の端部付近に配置されている。
【００３０】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３１】
上流側仕切板（71）及び下流側仕切板（72）は、前面パネル部（12）及び背面パネル部（13）と平行に配置されている。ケーシング（11）の内部空間において、上流側仕切板（71）は背面パネル部（13）寄りに配置され、下流側仕切板（72）は前面パネル部（12）寄りに配置されている。
【００３２】
上流側仕切板（71）の左右方向の幅は、ケーシング（11）の左右方向の幅よりも短くなっている。上流側仕切板（71）の右端部は、その概ね下半分が切り欠かれており、その上半分が第１側面パネル部（14）に接合されている。一方、上流側仕切板（71）の左端部と第２側面パネル部（15）との間には、隙間が形成されている。
【００３３】
下流側仕切板（72）の左右方向の幅は、上流側仕切板（71）の左右方向の幅よりも短くなっている。下流側仕切板（72）の右端部と第１側面パネル部（14）との間には、隙間が形成されている。また、下流側仕切板（72）の左端部と第２側面パネル部（15）との間にも、隙間が形成されている。
【００３４】
第１仕切板（74）は、上流側仕切板（71）と下流側仕切板（72）の間の空間を右側から塞ぐように配置されている。具体的に、第１仕切板（74）は、第１側面パネル部（14）と平行となり、且つ上流側仕切板（71）及び下流側仕切板（72）と直交する姿勢で配置されている。第１仕切板（74）の前端部は、下流側仕切板（72）の右端部に接合されている。第１仕切板（74）の後端部は、上流側仕切板（71）に接合されている。
【００３５】
第２仕切板（75）は、上流側仕切板（71）と下流側仕切板（72）の間の空間を左側から塞ぐように配置されている。具体的に、第２仕切板（75）は、第２側面パネル部（15）と平行となり、且つ上流側仕切板（71）及び下流側仕切板（72）と直交する姿勢で配置されている。第２仕切板（75）の前端部は、下流側仕切板（72）の左端部に接合されている。第２仕切板（75）の後端部は、背面パネル部（13）に接合されている。また、この第２仕切板（75）には、上流側仕切板（71）の左端部が接合されている。
【００３６】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。また、中央仕切板（73）は、上流側仕切板（71）及び下流側仕切板（72）の左右幅方向の中央よりも第２側面パネル部（15）側へ幾分寄った位置に設けられている。
【００３７】
ケーシング（11）内において、上流側仕切板（71）と背面パネル部（13）の間の空間は、上下２つの空間に仕切られている（図２，図５，図６を参照）。上下に仕切られたこの空間は、上側の空間が内気側通路（32）を構成し、下側の空間が外気側通路（34）を構成している。つまり、ケーシング（11）内における上流側仕切板（71）と背面パネル部（13）の間には、内気側通路（32）と外気側通路（34）がケーシング（11）の高さ方向（即ち、背面パネル部（13）の短手方向）に並んで形成されている。また、外気側通路（34）は第１の吸込側通路を構成しており、内気側通路（32）は第２の吸込側通路を構成している。
【００３８】
内気側通路（32）は、内気吸込口（23）に接続するダクトを介して室内と連通している。内気側通路（32）には、空気から塵埃等を除去するための内気側フィルタ（27）が設けられている。内気側フィルタ（27）は、長辺が左右幅方向へ延びる長方形板状に形成され、内気側通路（32）を横断する姿勢で立設されている。内気側通路（32）は、この内気側フィルタ（27）によって前後に区画されている。内気側通路（32）における内気側フィルタ（27）の前側（下流側）の部分には、内気湿度センサ（96）が収容されている。この内気湿度センサ（96）は、ケーシング（11）の天板に取り付けられており、空気の相対湿度を計測する。
【００３９】
外気側通路（34）は、外気吸込口（24）に接続するダクトを介して室外空間と連通している。外気側通路（34）には、空気から塵埃等を除去するための外気側フィルタ（28）が設けられている。外気側フィルタ（28）は、長辺が左右幅方向へ延びる長方形板状に形成され、外気側通路（34）を横断する姿勢で立設されている。外気側通路（34）は、この外気側フィルタ（28）によって前後に区画されている。外気側通路（34）における外気側フィルタ（28）の前側（下流側）の部分には、外気湿度センサ（97）が収容されている。この外気湿度センサ（97）は、ケーシング（11）の底板に取り付けられており、空気の相対湿度を計測する。
【００４０】
上述したように、ケーシング（11）内における上流側仕切板（71）と下流側仕切板（72）の間の空間は、中央仕切板（73）によって左右に区画されている。左右に仕切られたこの空間は、中央仕切板（73）の右側の空間が第１熱交換器室（37）を構成し、中央仕切板（73）の左側の空間が第２熱交換器室（38）を構成している（図１，図３を参照）。つまり、ケーシング（11）内では、第１熱交換器室（37）と第２熱交換器室（38）が、ケーシング（11）の左右幅方向（即ち、前面パネル部（12）及び背面パネル部（13）の長手方向）に並んで形成されている。第１熱交換器室（37）の左右方向の幅Ｗ1は、第２熱交換器室（38）の左右方向の幅Ｗ2よりも広くなっている（図４を参照）。第１熱交換器室（37）は第１の主空気通路を構成し、第２熱交換器室（38）は第２の主空気通路を構成している。
【００４１】
第１熱交換器室（37）には、第１吸着熱交換器（51）が収容されている。第２熱交換器室（38）には、第２吸着熱交換器（52）が収容されている。各吸着熱交換器（51,52）は、全体として長方形の厚板状あるいは扁平な直方体状に形成されている。吸着熱交換器（51,52）の詳細は後述する。
【００４２】
吸着熱交換器（51,52）は、その前面及び背面が上流側仕切板（71）及び下流側仕切板（72）と平行になる姿勢で、熱交換器室（37,38）内に立設されている。つまり、吸着熱交換器（51,52）は、熱交換器室（37,38）を横断する姿勢で設置されている。各熱交換器室（37,38）は、吸着熱交換器（51,52）によって前後に区画されている。各熱交換器室（37,38）において、吸着熱交換器（51,52）は、熱交換器室（37,38）の前後方向の中央よりも上流側仕切板（71）寄りに配置されている。また、各吸着熱交換器（51,52）は、左右幅方向に概ね一直線上に並んで配置されている。
【００４３】
各吸着熱交換器（51,52）の前面と下流側仕切板（72）の距離Ｌdは、各吸着熱交換器（51,52）の背面と上流側仕切板（71）の距離Ｌuに比べて長くなっている（図４を参照）。つまり、各熱交換器室（37,38）では、吸着熱交換器（51,52）の前側（即ち、下流側）の部分の前後長が、吸着熱交換器（51,52）の後ろ側（即ち、上流側）の部分の前後長よりも長くなっている。
【００４４】
各吸着熱交換器（51,52）には、液側分流器（61）とガス側ヘッダ（62）とが設けられている。第１吸着熱交換器（51）は、液側分流器（61）及びガス側ヘッダ（62）を含む全体が第１熱交換器室（37）に収容されている。一方、第２吸着熱交換器（52）は、全てのフィン（57）を含む大部分が第２熱交換器室（38）に収容されるものの、その一部分が中央仕切板（73）を貫通して第１熱交換器室（37）に露出している。具体的に、第２吸着熱交換器（52）は、それに付属する液側分流器（61）及びガス側ヘッダ（62）が第１熱交換器室（37）内に位置している。また、第２吸着熱交換器（52）は、液側分流器（61）及びガス側ヘッダ（62）が接続する端部側に位置するＵ字管部（59）も、第１熱交換器室（37）内に露出している。また、第１熱交換器室（37）には、冷媒回路（50）の電動膨張弁（55）が収容されている。
【００４５】
ケーシング（11）の内部空間では、下流側仕切板（72）の前面に沿った部分が上下に仕切られている（図２，図３，図６を参照）。上下に仕切られたこの空間は、上側の空間が給気側通路（31）を構成し、下側の空間が排気側通路（33）を構成している。つまり、ケーシング（11）内における下流側仕切板（72）と前面パネル部（12）の間には、給気側通路（31）と排気側通路（33）が、ケーシング（11）の高さ方向（即ち、前面パネル部（12）の短手方向）に並んで形成されている。
【００４６】
上流側仕切板（71）には、開閉式のダンパ（41〜44）が４つ設けられている（図３，図６を参照）。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４７】
第１内気側ダンパ（41）を開閉すると、内気側通路（32）と第１熱交換器室（37）の間が断続される。第２内気側ダンパ（42）を開閉すると、内気側通路（32）と第２熱交換器室（38）の間が断続される。第１外気側ダンパ（43）を開閉すると、外気側通路（34）と第１熱交換器室（37）の間が断続される。第２外気側ダンパ（44）を開閉すると、外気側通路（34）と第２熱交換器室（38）の間が断続される。
【００４８】
上流側仕切板（71）において、第１外気側ダンパ（43）は、第１内気側ダンパ（41）の真下に配置されている。第１内気側ダンパ（41）及び第１外気側ダンパ（43）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００４９】
また、上流側仕切板（71）において、第２外気側ダンパ（44）は、第２内気側ダンパ（42）の真下に配置されている。第２内気側ダンパ（42）及び第２外気側ダンパ（44）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５０】
下流側仕切板（72）には、開閉式のダンパ（45〜48）が４つ設けられている（図３，図６を参照）。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５１】
第１給気側ダンパ（45）を開閉すると、給気側通路（31）と第１熱交換器室（37）の間が断続される。第２給気側ダンパ（46）を開閉すると、給気側通路（31）と第２熱交換器室（38）の間が断続される。第１排気側ダンパ（47）を開閉すると、排気側通路（33）と第１熱交換器室（37）の間が断続される。第２排気側ダンパ（48）を開閉すると、排気側通路（33）と第２熱交換器室（38）の間が断続される。
【００５２】
下流側仕切板（72）において、第１排気側ダンパ（47）は、第１給気側ダンパ（45）の真下に配置されている。第１給気側ダンパ（45）及び第１排気側ダンパ（47）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００５３】
また、下流側仕切板（72）において、第２排気側ダンパ（48）は、第２給気側ダンパ（46）の真下に配置されている。第２排気側ダンパ（48）及び第２給気側ダンパ（46）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５４】
ケーシング（11）内では、給気側通路（31）及び排気側通路（33）と前面パネル部（12）との間の空間が、仕切板（77）によって左右に仕切られている。この左右に仕切られた空間は、仕切板（77）の右側の空間が給気ファン室（36）を構成し、仕切板（77）の左側の空間が排気ファン室（35）を構成している。この仕切板（77）は、中央仕切板（73）よりも更に第２側面パネル部（15）寄りに立設されている。給気ファン室（36）及び排気ファン室（35）は、何れもケーシング（11）の底板から天板に亘る空間である。
【００５５】
このように、ケーシング（11）内における前面パネル部（12）に沿った部分には、給気ファン室（36）と排気ファン室（35）が、ケーシング（11）の左右幅方向（即ち、前面パネル部（12）の長手方向）に並んで形成されている。給気ファン室（36）は、給気側通路（31）と共に給気側空間を構成している。排気ファン室（35）は、排気側通路（33）と共に排気側空間を構成している。
【００５６】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。
【００５７】
具体的に、これらのファン（25,26）は、ファンロータと、ファンケーシング（86）と、ファンモータ（89）とを備えている。図示しないが、ファンロータは、その軸方向の長さが直径に比べて短い円筒状に形成され、その周側面に多数の翼が形成されている。ファンロータは、ファンケーシング（86）に収容されている。ファンケーシング（86）では、その側面（ファンロータの軸方向と直交する側面）の一方に吸入口（87）が開口している。また、ファンケーシング（86）には、その周側面から外側へ突出する部分が形成されており、その部分の突端に吹出口（88）が開口している。ファンモータ（89）は、ファンケーシング（86）における吸入口（87）と反対側の側面に取り付けられている。ファンモータ（89）は、ファンロータに連結されてファンロータを回転駆動する。
【００５８】
給気ファン（26）及び排気ファン（25）において、ファンロータがファンモータ（89）によって回転駆動されると、吸入口（87）を通ってファンケーシング（86）内へ空気が吸い込まれ、ファンケーシング（86）内の空気が吹出口（88）から吹き出される。
【００５９】
給気ファン室（36）において、給気ファン（26）は、ファンケーシング（86）の吸入口（87）が下流側仕切板（72）と対面する姿勢で設置されている。また、この給気ファン（26）のファンケーシング（86）の吹出口（88）は、給気口（22）に連通する状態で第１側面パネル部（14）に取り付けられている。つまり、給気ファン（26）は、ケーシング（11）の背面パネル部（13）側から空気を吸い込み、給気口（22）へ向けて空気を吹き出す姿勢で設置されている。
【００６０】
排気ファン室（35）において、排気ファン（25）は、ファンケーシング（86）の吸入口（87）が下流側仕切板（72）と対面する姿勢で設置されている。また、この排気ファン（25）のファンケーシング（86）の吹出口（88）は、排気口（21）に連通する状態で第２側面パネル部（15）に取り付けられている。つまり、排気ファン（25）は、ケーシング（11）の背面パネル部（13）側から空気を吸い込み、排気口（21）へ向けて空気を吹き出す姿勢で設置されている。
【００６１】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００６２】
四方切換弁（54）には、各吸着熱交換器（51,52）のガス側ヘッダ（62）から延びる連絡配管（65）が接続されている。この連絡配管（65）は、下流側仕切板（72）を貫通している。具体的に、下流側仕切板（72）では、給気側通路（31）に臨む部分（上側部分）のうち中央仕切板（73）の右側の部分（即ち、第１熱交換器室（37）に臨む部分）を連絡配管（65）が貫通している。なお、各吸着熱交換器（51,52）の液側分流器（61）は、一方が電動膨張弁（55）の一端に接続され、他方が電動膨張弁（55）の他端に接続されている。
【００６３】
ケーシング（11）内において、第１仕切板（74）と第１側面パネル部（14）の間の空間は、第１の副空気通路である第１バイパス通路（81）を構成している（図２，図３を参照）。また、ケーシング（11）内において、第２仕切板（75）と第２側面パネル部（15）の間の空間は、第２の副空気通路である第２バイパス通路（82）を構成している（図３，図５を参照）。第１バイパス通路（81）及び第２バイパス通路（82）は、ケーシング（11）の底板から天板に亘る空間である。第１バイパス通路（81）の通路幅Ｗb1（即ち、第１仕切板（74）と第１側面パネル部（14）の距離）は、第２バイパス通路（82）の通路幅Ｗb2（即ち、第２仕切板（75）と第２側面パネル部（15）の距離）よりも長くなっている（図４を参照）。
【００６４】
第１バイパス通路（81）の始端（背面パネル部（13）側の端部）は、外気側通路（34）だけに連通しており、内気側通路（32）からは遮断されている。この第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００６５】
第２バイパス通路（82）の始端（背面パネル部（13）側の端部）は、内気側通路（32）だけに連通しており、外気側通路（34）からは遮断されている。この第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００６６】
なお、図６の右側面図及び左側面図では、第１バイパス通路（81）、第２バイパス通路（82）、第１バイパス用ダンパ（83）、及び第２バイパス用ダンパ（84）の図示を省略している。
【００６７】
調湿装置（10）では、第１バイパス用ダンパ（83）、第２バイパス用ダンパ（84）、第１給気側ダンパ（45）、第２給気側ダンパ（46）、第１排気側ダンパ（47）、及び第２排気側ダンパ（48）が切換機構を構成している。つまり、第１給気側ダンパ（45）、第２給気側ダンパ（46）、第１排気側ダンパ（47）、及び第２排気側ダンパ（48）が閉じ、第１バイパス用ダンパ（83）及び第２バイパス用ダンパ（84）が開いた状態において、ケーシング（11）内を流れる空気は、第１熱交換器室（37）及び第２熱交換器室（38）を通過せずに、第１バイパス通路（81）又は第２バイパス通路（82）を通過する。また、第１バイパス用ダンパ（83）及び第２バイパス用ダンパ（84）が閉じ、一方の給気側ダンパ（45,46）と一方の排気側ダンパ（47,48）とが開いた状態において、ケーシング（11）内を流れる空気は、第１バイパス通路（81）及び第２バイパス通路（82）を通過せずに、第１熱交換器室（37）又は第２熱交換器室（38）を通過する。
【００６８】
ケーシング（11）の第１側面パネル部（14）では、内気側通路（32）及び外気側通路（34）に面する部分が、フィルタ用開閉パネル（17）によって構成されている。また、この第１側面パネル部（14）では、第１バイパス通路（81）に面する部分が、主開閉パネル（16）によって構成されている。フィルタ用開閉パネル（17）及び主開閉パネル（16）は、ケーシング（11）に対して着脱自在となっている。
【００６９】
ケーシング（11）の前面パネル部（12）では、その右寄りの部分に電装品箱（90）が取り付けられている。なお、図２及び図６において、電装品箱（90）は省略されている。電装品箱（90）は、直方体状の箱であって、その内部に制御用基板（91）と電源用基板（92）とが収容されている。制御用基板（91）及び電源用基板（92）は、電装品箱（90）の側板のうち前面パネル部（12）に隣接する部分（即ち、背面板）の内側面に取り付けられている。電源用基板（92）のインバータ部には、放熱フィン（93）が設けられている。この放熱フィン（93）は、電源用基板（92）の背面に突設されており、電装品箱（90）の背面板とケーシング（11）の前面パネル部（12）とを貫通して給気ファン室（36）に露出している（図３，図５を参照）。
【００７０】
ケーシング（11）内において、圧縮機（53）、ファン（25,26）、ダンパ（41〜48）、湿度センサ（96,97）等に接続するリード線は、電装品箱（90）の内部へと延びている。そのうち、上流側仕切板（71）に取り付けられたダンパ（41〜44）の駆動モータに接続するリード線や、湿度センサ（96,97）に接続するリード線は、第１バイパス通路（81）を通って電装品箱（90）へと延びている。
【００７１】
〈冷媒回路の構成〉
上記冷媒回路（50）について、図７を参照しながら説明する。
【００７２】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。この冷媒回路（50）は、熱媒流体としての冷媒が流れる熱媒回路を構成している。
【００７３】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００７４】
上記四方切換弁（54）は、第１のポートと第３のポートが連通して第２のポートと第４のポートが連通する第１状態（図７(Ａ)に示す状態）と、第１のポートと第４のポートが連通して第２のポートと第３のポートが連通する第２状態（図７(Ｂ)に示す状態）とに切り換え可能となっている。
【００７５】
図８に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、フィン（57）の配列方向に蛇行する形状となっている。つまり、この伝熱管（58）では、各フィン（57）を貫通する直管部と、隣り合った直管部同士を接続するＵ字管部（59）とが交互に形成されている。
【００７６】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００７７】
本実施形態の調湿装置（10）では、冷媒回路（50）が熱媒回路を構成する。この冷媒回路（50）では、２つの吸着熱交換器（51,52）のうち凝縮器として動作する方に高圧のガス冷媒が加熱用の熱媒流体として供給され、蒸発器として動作する方に低圧の気液二相冷媒が冷却用の熱媒流体として供給される。
【００７８】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００７９】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００８０】
除湿換気運転中の調湿装置（10）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【００８１】
先ず、除湿換気運転の第１動作について説明する。図９に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【００８２】
この第１動作中の冷媒回路（50）では、図７(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００８３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００８４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００８５】
次に、除湿換気運転の第２動作について説明する。図１０に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【００８６】
この第２動作中の冷媒回路（50）では、図７(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【００８７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００８８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００８９】
〈加湿換気運転〉
加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００９０】
加湿換気運転中の調湿装置（10）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【００９１】
先ず、加湿換気運転の第１動作について説明する。図１１に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【００９２】
この第１動作中の冷媒回路（50）では、図７(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。
【００９３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００９４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００９５】
次に、加湿換気運転の第２動作について説明する。図１２に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【００９６】
この第２動作中の冷媒回路（50）では、図７(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。
【００９７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００９８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００９９】
〈単純換気運転〉
単純換気運転中における調湿装置（10）の動作について、図１３を参照しながら説明する。この単純換気運転は、外気をそのまま室内へ供給しても室内の快適性が損なわれない時期（例えば、春季や秋季などの中間期）に行われる。つまり、この単純換気運転は、室内へ供給される空気の湿度調節は不要であるが、室内の換気は行う必要がある場合に実行される。
【０１００】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。つまり、単純換気運転中において、冷媒回路（50）での冷凍サイクルは行われない。
【０１０１】
単純換気運転中の調湿装置（10）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内へ供給される。
【０１０２】
また、単純換気運転中の調湿装置（10）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外へ排出される。
【０１０３】
−実施形態の効果−
本実施形態の調湿装置（10）のケーシング（11）の内部空間では、吸込側通路である内気側通路（32）及び外気側通路（34）と、主空気通路である第１熱交換器室（37）及び第２熱交換器室（38）と、吹出側通路である給気側通路（31）及び排気側通路（33）と、給気ファン室（36）及び排気ファン室（35）とが、ケーシング（11）の背面パネル部（13）から前面パネル部（12）へ向かって順に形成されている。このため、ケーシング（11）の内部空間では、吸込口（23,24）を通って流入した空気が、ケーシング（11）の背面パネル部（13）から前面パネル部（12）へ向かって流れることになる。
【０１０４】
また、ケーシング（11）内では、２つの熱交換器室（37,38）がケーシング（11）の左右幅方向（即ち、前面パネル部（12）及び背面パネル部（13）の長手方向）に並んでいる。このため、どちらの熱交換器室（37,38）を空気が通過する場合においても、ケーシング（11）内における空気の流れ方向は、ケーシング（11）の背面パネル部（13）から前面パネル部（12）へ向かう方向となる。
【０１０５】
更に、上記調湿装置（10）において、給気側通路（31）へ背面パネル部（13）側から流入した空気は、背面パネル部（13）側から空気を吸い込む給気ファン（26）に吸い込まれ、第１側面パネル部（14）に開口する給気口（22）へ向けて吹き出される。また、この調湿装置（10）において、排気側通路（33）へ背面パネル部（13）側から流入した空気は、背面パネル部（13）側から空気を吸い込む排気ファン（25）に吸い込まれ、第２側面パネル部（15）に開口する排気口（21）へ向けて吹き出される。
【０１０６】
このように、上記調湿装置（10）のケーシング（11）内では、どちらの熱交換器室（37,38）を空気が通過する場合においても、空気の流れ方向がケーシング（11）の背面パネル部（13）から前面パネル部（12）へ向かう方向となる。また、この調湿装置（10）では、給気ファン（26）の空気の吸い込み方向が、給気側通路（31）や給気ファン室（36）への空気の流入方向と概ね一致すると共に、排気ファン（25）の空気の吸い込み方向が、排気側通路（33）や排気ファン室（35）への空気の流入方向と概ね一致している。このため、ケーシング（11）内において吸込口（23,24）から給気ファン（26）や排気ファン（25）へ向かう空気の流れ方向は、概ねケーシング（11）の背面パネル部（13）から前面パネル部（12）へ向かう方向だけとなる。
【０１０７】
つまり、上記調湿装置（10）のケーシング（11）内では、空気の流れ方向が９０°以上の角度で急激に曲げられる箇所が削減される。従って、本実施形態によれば、空気がケーシング（11）内を通過する際の圧力損失を低減させることができ、その結果、給気ファン（26）や排気ファン（25）の消費電力を削減できる。
【０１０８】
また、本実施形態の調湿装置（10）では、内気吸込口（23）及び外気吸込口（24）が、ケーシング（11）の左右幅方向の中央付近（即ち、背面パネル部（13）の長手方向の中央付近）に配置される。一方、ケーシング（11）内では、２つの熱交換器室（37,38）が、ケーシング（11）の左右幅方向（即ち、背面パネル部（13）の長手方向）に並んで形成されている。このため、内気吸込口（23）から第１熱交換器室（37）へ至る空気の流通経路長と、内気吸込口（23）から第２熱交換器室（38）へ至る空気の流通経路長との差が小さくなる。また、外気吸込口（24）から第１熱交換器室（37）へ至る空気の流通経路長と、外気吸込口（24）から第熱交換器室（38）へ至る空気の流通経路長との差が小さくなる。従って、本実施形態によれば、内気吸込口（23）及び外気吸込口（24）から各熱交換器室（37,38）へ至るまでにおける空気の圧力損失を、出来る限り低く抑えることができる。
【０１０９】
本実施形態の調湿装置（10）において、第１バイパス通路（81）を流れる空気は、前面パネル部（12）及び背面パネル部（13）に直交する第１側面パネル部（14）に沿って流れ、背面パネル部（13）側から給気側通路（31）や給気ファン室（36）へ流入する。このため、第１バイパス通路（81）から給気ファン室（36）へ流入した空気は、背面パネル部（13）側から空気を吸い込む給気ファン（26）へスムーズに吸い込まれる。
【０１１０】
また、この調湿装置（10）において、第２バイパス通路（82）を流れる空気は、前面パネル部（12）及び背面パネル部（13）に直交する第２側面パネル部（15）に沿って流れ、背面パネル部（13）側から排気側通路（33）や排気ファン室（35）へ流入する。このため、第２バイパス通路（82）から排気ファン室（35）へ流入した空気は、背面パネル部（13）側から空気を吸い込む排気ファン（25）へスムーズに吸い込まれる。
【０１１１】
このように、本実施形態の調湿装置（10）では、第１バイパス通路（81）から給気ファン室（36）への空気の流入方向が、給気ファン（26）の空気の吸い込み方向と概ね一致すると共に、第２バイパス通路（82）から排気ファン室（35）への空気の流入方向が、排気ファン（25）の空気の吸い込み方向と概ね一致している。従って、本実施形態によれば、熱交換器室（37,38）ではなくバイパス通路（81,82）を空気が通過する単純換気運転中においても、ケーシング（11）内で空気の流れ方向が９０°以上の角度で急激に曲げられる箇所を削減でき、空気がケーシング（11）内を通過する際の圧力損失を低減させることができる。
【０１１２】
また、本実施形態の調湿装置（10）では、ケーシング（11）内にバイパス通路（81,82）が形成され、バイパス通路（81,82）へ流入した空気は、吸着熱交換器（51,52）を通過せずにケーシング（11）から流出する。空気の湿度調節が不要な運転状態において、単純換気運転が行われると、ケーシング（11）内へ取り込まれた空気は、吸着熱交換器（51,52）を通ることなくケーシング（11）を通過する。つまり、空気を湿度調節しない単純換気運転中の調湿装置（10）では、ケーシング（11）内を流れる空気が吸着熱交換器（51,52）をバイパスして流れる。
【０１１３】
このため、空気を湿度調節しない運転中にも空気が吸着熱交換器を通過する従来の調湿装置では、その運転中に吸着熱交換器の吸着剤に空気中の臭気物質が次第に蓄積してゆくのに対し、本実施形態の調湿装置（10）では、そのような吸着熱交換器（51,52）への臭気物質の蓄積は生じない。従って、本実施形態によれば、空気を湿度調節しない単純換気運転中に吸着熱交換器（51,52）に蓄積される臭気物質の量を削減でき、空気の湿度調節を再開した後に吸着熱交換器（51,52）から臭気物質が脱離して室内の快適性を損なうといった事態を回避できる。
【０１１４】
上述したように、除湿換気運転中や加湿換気運転中の調湿装置（10）では、第１熱交換器室（37）を通過した空気が給気ファン（26）へ吸い込まれると同時に第２熱交換器室（38）を通過した空気が排気ファン（25）へ吸い込まれる動作と、第１熱交換器室（37）を通過した空気が排気ファン（25）へ吸い込まれると同時に第２熱交換器室（38）を通過した空気が給気ファン（26）へ吸い込まれる動作とが交互に繰り返される。
【０１１５】
一方、本実施形態の調湿装置（10）において、第１熱交換器室（37）に臨んで設置される第１内気側ダンパ（41）、第１外気側ダンパ（43）、第１給気側ダンパ（45）、及び第１排気側ダンパ（47）は、中央仕切板（73）寄りの位置（即ち、なるべく給気ファン（26）から離れていて且つなるべく排気ファン（25）に近い位置）に設置されている。また、この調湿装置（10）において、第２熱交換器室（38）に臨んで設置される第２内気側ダンパ（42）、第２外気側ダンパ（44）、第２給気側ダンパ（46）、及び第２排気側ダンパ（48）は、中央仕切板（73）寄りの位置（即ち、なるべく排気ファン（25）から離れていて且つなるべく給気ファン（26）に近い位置）に設置されている。
【０１１６】
このため、本実施形態の調湿装置（10）では、第１熱交換器室（37）から第１給気側ダンパ（45）を通って給気ファン（26）へ至るまでの空気の圧力損失と、第２熱交換器室（38）から第２給気側ダンパ（46）を通って給気ファン（26）へ至るまでの空気の圧力損失とが平均化される。また、第１熱交換器室（37）から第１排気側ダンパ（47）を通って排気ファン（25）へ至るまでの空気の圧力損失と、第２熱交換器室（38）から第２排気側ダンパ（48）を通って排気ファン（25）へ至るまでの空気の圧力損失とが平均化される。従って、本実施形態の調湿装置（10）によれば、除湿換気運転中や加湿換気運転中に第１動作と第２動作が交互に切り換わっても、給気ファン（26）や排気ファン（25）の回転速度を調節することなく、給気口（22）や排気口（21）から吹き出される空気の流量を概ね一定に保つことができる。
【０１１７】
また、本実施形態の調湿装置（10）では、第１吸着熱交換器（51）の前面や第２吸着熱交換器（52）の前面と下流側仕切板（72）との距離Ｌdが、第１吸着熱交換器（51）の背面や第２吸着熱交換器（52）の背面と上流側仕切板（71）との距離Ｌuよりも長くなっている（図４を参照）。つまり、各熱交換器室（37,38）では、吸着熱交換器（51,52）の下流側の通路長が、その上流側の通路長よりも長くなっている。このため、各熱交換器室（37,38）では、給気ファン（26）や排気ファン（25）に近い吸着熱交換器（51,52）の下流側の部分が比較的広くなり、各吸着熱交換器（51,52）の全面に亘って空気の流速が平均化される。従って、本実施形態によれば、各吸着熱交換器（51,52）の性能を充分に発揮させることができる。
【０１１８】
また、本実施形態の調湿装置（10）において、給気ファン（26）及び排気ファン（25）は、それぞれの吸入口（87）が下流側仕切板（72）と対面する姿勢で設置されている。このため、下流側仕切板（72）に設けられたダンパ（45〜48）を通過した空気は、給気ファン（26）及び排気ファン（25）の吸入口（87）へスムーズに流れ込む。従って、本実施形態によれば、給気側通路（31）から給気ファン（26）へ至る間や、排気側通路（33）から排気ファン（25）へ至る間の空気の乱れを低減でき、空気がケーシング（11）内を通過する際の圧力損失を削減できる。
【０１１９】
また、本実施形態の調湿装置（10）では、電源用基板（92）のインバータを冷却するための放熱フィン（93）が給気ファン室（36）に露出しており、給気ファン室（36）を流れる空気が放熱フィン（93）から熱を奪う。このため、本実施形態によれば、放熱フィン（93）へ冷却用の空気を送る手段を別途設ける必要が無くなり、調湿装置（10）の構成を簡素化することができる。
【０１２０】
−実施形態の変形例−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１２１】
また、本実施形態の調湿装置（10）では、第１吸着熱交換器（51）及び第２吸着熱交換器（52）に対して冷水や温水を供給することで、吸着剤の加熱や冷却を行ってもよい。この場合には、冷水や温水を吸着熱交換器（51,52）へ供給するための管路が、熱媒流体としての冷水や温水が流れる熱媒回路を構成している。
【０１２２】
なお、以上の実施形態は、本質的に好ましい例示であって、本発明、その適用物、あるいはその用途の範囲を制限することを意図するものではない。
【産業上の利用可能性】
【０１２３】
以上説明したように、本発明は、室内の湿度調節を行うための調湿装置について有用である。
【図面の簡単な説明】
【０１２４】
【図１】前面側から見た調湿装置をケーシングの天板を省略して示す斜視図である。
【図２】前面側から見た調湿装置をケーシングの一部および電装品箱を省略して示す斜視図である。
【図３】調湿装置をケーシングの天板を省略して示す平面図である。
【図４】調湿装置の要部をケーシングの天板を省略して示す平面図である。
【図５】背面側から見た調湿装置をケーシングの天板を省略して示す斜視図である。
【図６】調湿装置の一部を省略して示す概略の平面図、右側面図、及び左側面図である。
【図７】冷媒回路の構成を示す配管系統図であって、(Ａ)は第１動作中の動作を示すものであり、(Ｂ)は第２動作中の動作を示すものである。
【図８】吸着熱交換器の概略斜視図である。
【図９】除湿換気運転の第１動作における空気の流れを示す調湿装置の概略の平面図、右側面図、及び左側面図である。
【図１０】除湿換気運転の第２動作における空気の流れを示す調湿装置の概略の平面図、右側面図、及び左側面図である。
【図１１】加湿換気運転の第１動作における空気の流れを示す調湿装置の概略の平面図、右側面図、及び左側面図である。
【図１２】加湿換気運転の第２動作における空気の流れを示す調湿装置の概略の平面図、右側面図、及び左側面図である。
【図１３】単純換気運転における空気の流れを示す調湿装置の概略の平面図、右側面図、及び左側面図である。
【符号の説明】
【０１２５】
10    調湿装置
11    ケーシング
12    前面パネル部（前面部）
13    背面パネル部（背面部）
14    第１側面パネル部（側板部）
15    第２側面パネル部（側板部）
21    排気口
22    給気口
25    排気ファン
26    給気ファン
31    給気側通路（給気側空間）
32    内気側通路（第１の吸込側通路）
33    排気側通路（排気側空間）
34    外気側通路（第２の吸込側通路）
35    排気ファン室（排気側空間）
36    給気ファン室（給気側空間）
37    第１熱交換器室（第１の主空気通路）
38    第２熱交換器室（第２の主空気通路）
50    冷媒回路（熱媒回路）
51    第１吸着熱交換器（第１の吸着熱交換器）
52    第２吸着熱交換器（第２の吸着熱交換器）
81    第１バイパス通路（第１の副空気通路）
82    第２バイパス通路（第２の副空気通路）
【図１】
0004311488.tif 000002
【図２】
0004311488.tif 000003
【図３】
0004311488.tif 000004
【図４】
0004311488.tif 000005
【図５】
0004311488.tif 000006
【図６】
0004311488.tif 000007
【図７】
0004311488.tif 000008
【図８】
0004311488.tif 000009
【図９】
0004311488.tif 000010
【図１０】
0004311488.tif 000011
【図１１】
0004311488.tif 000012
【図１２】
0004311488.tif 000013
【図１３】
0004311488.tif 000014